(57)【特許請求の範囲】
【請求項１】
浴槽から排水される浴排水を貯水タンクに貯水し、便器使用時に揚水ポンプにより貯水タンク内の浴排水を吸水吐出し、便器洗浄水として再利用する浴排水再利用システムにおいて、
洗浄水を揚水ポンプ４により、便器５の洗浄水タンク３へ案内する揚水パイプ７の途中部に、バイパス管３２を設け、該バイパス管３２の途中部に電磁弁３１を設け、先端に洗浄水を噴出するノズル３２ａを取付け、前記ノズル３２ａから洗浄水を、貯水タンク２内に噴出して該貯水タンク２内の浴排水を攪拌すべく構成し、
該洗浄水タンク３内の洗浄水が減少し、揚水ポンプ４の運転開始すると同時に連動して、前記電磁弁３１が開くべく構成し、貯水タンク２内の浴排水と沈殿物とを同時に吸水パイプ６から吸水して洗浄水タンク３へ吐出するよう構成したことを特徴とする浴排水再利用システムの貯水タンクの攪拌装置。
【発明の詳細な説明】
【０００１】
【発明の属する技術分野】
本発明は、住宅内において、浴槽水を便器洗浄水として再利用可能とする為のシステムにおける、貯水タンク内部攪拌システムに関する。
【０００２】
【従来の技術】
我が国は、人口密度が高く一人当たりの年間降水量は、決して多いとは言えない。また、地形が急崚であり利用可能な水は更に少ない。ところが、使用水量は年々増加の傾向にあり、毎年のように渇水問題が発生しているのが現状である。このような状況下において、水資源の有効利用を図るために、比較的良好な水質で水量の安定している浴槽の排水を、トイレの便器洗浄水として再利用する浴排水再利用システムは公知となっており、本出願人より提案済である。
【０００３】
従来、浴排水再利用システムにおいては、浴槽の排水を一旦貯水タンクに貯めポンプによりこの排水を汲み上げトイレへ送っているので、貯水タンク内の汚れなどが溜まって沈殿物となるのである。このタンク内に堆積した沈殿物は、定期的に清掃して取り除けばよいのであるが、屋外に設置されたタンクの点検や清掃は手間であり、行われない可能性もある。
そして、沈殿物が貯水タンク内に溜まったまま排出されずに長期間放置されると、有機物が腐敗して非衛生的であり、悪臭の原因となる。また長期的に考えると、貯水タンク内の沈殿物が増加して貯水タンクの見かけの容量が減少し、必要な量の貯水ができなくなってくる。
【０００４】
このような事態を防ぐために、浴排水再利用システムにおいては、貯水タンク内の沈殿物をトイレへの給水と共に該貯水タンク内から排出することで、清掃を不用とできるが、貯水タンク内の沈殿物の排出を促進する方法として、専用のポンプを用意して、水や空気を水中に送ってタンク内を攪拌したり、機械的に攪拌機などで貯水タンク内を攪拌したりする方法が提案されていた。
【０００５】
【発明が解決しようとする課題】
しかし前述のように専用のポンプや攪拌機などを設けると、浴排水再利用システムが高価になり、故障などのメンテナンスが必要となる。また、貯水タンク内の攪拌を常時行うのでは効率が悪く、断続的に攪拌するためにタイマ−などを設けるとさらに高価なシステムになってしまう。
そこで、本発明は、専用のポンプや攪拌機を設けずに貯水タンク内を攪拌し、タイマ−などを設けることなく簡単で安価な方法で、断続的且つ必要時のみ攪拌して、貯水タンク内の沈殿物をトイレへの給水と同時に排出する浴排水再利用システムを提案するものである。
【０００６】
【課題を解決するための手段】
本発明の解決しようとする課題は以上の如くであり、次に該課題を解決するための手段を説明する。
浴槽から排水される浴排水を貯水タンクに貯水し、便器使用時に揚水ポンプにより貯水タンク内の浴排水を吸水吐出し、便器洗浄水として再利用する浴排水再利用システムにおいて、洗浄水を揚水ポンプ４により、便器５の洗浄水タンク３へ案内する揚水パイプ７の途中部に、バイパス管３２を設け、該バイパス管３２の途中部に電磁弁３１を設け、先端に洗浄水を噴出するノズル３２ａを取付け、前記ノズル３２ａから洗浄水を、貯水タンク２内に噴出して該貯水タンク２内の浴排水を攪拌すべく構成し、該洗浄水タンク３内の洗浄水が減少し、揚水ポンプ４の運転開始すると同時に連動して、前記電磁弁３１が開くべく構成し、貯水タンク２内の浴排水と沈殿物とを同時に吸水パイプ６から吸水して洗浄水タンク３へ吐出するよう構成したものである。
【０００７】
【発明の実施の形態】
次に、本発明の実施の形態を説明する。
図１は１階のみに浴室が１階と２階とにトイレが配置された住宅における浴排水再利用システムの実施例を示す図、図２は浴槽内部の浴槽水を貯水タンクに導水する機構を示す図、図３は貯水タンクの浴排水を攪拌する機構を示す図である。
【０００８】
図４は住宅の敷地において建物と北側の隣接地との空間に貯水タンクを埋設した状態の平面図、図５は建物と敷地の隣接地との空間に貯水タンクを埋設する場合における貯水タンクの埋設スペースを示す断面図、図６は貯水タンクの平面図、図７は貯水タンクの側面図、図８は貯水タンクの正面図である。
【０００９】
図１において浴排水再利用システムの概要を説明する。
住宅内に配置された浴室Ｃの内部に浴槽１が設けられている。該浴槽１内の水は、入浴後には不用となるので排水口１ａから排水管８を経由して貯水タンク２内に貯水するのである。該排水管８は浴排水を貯水タンク２内に案内するための経路である。
そして、浴室Ｃの洗い場において使用された汚水は排水口１ｂから、この汚水を下水道９に案内するための経路である下水排水管１９を経由して下水道９に流れるよう構成している。また前記排水口１ａには、浴排水中の毛髪等を除去する目皿３５が配設されている。これにより毛髪などが、貯水タンク２内に侵入することを防いでいる。
【００１０】
前記排水管８から貯水タンク２内に導水され、貯水タンク２内に貯水された浴排水は、便器５の使用とともに、揚水ポンプ４により洗浄水タンク３に供給される。即ち、洗浄水タンク３内の洗浄水が減少すると揚水ポンプ４により吸水パイプ６から吸引されて、揚水パイプ７を経由して洗浄水タンク３に供給されるのである。
便器１５を使用した場合も同様に、貯水タンク２内の浴排水が揚水ポンプ４により洗浄水タンク１３に供給される。そして、便器５もしくは便器１５を洗浄した後の洗浄水は、洗浄排水パイプ１２から前記下水道９に排水される。
【００１１】
貯水タンク２内に貯水されている浴排水について、トイレＤでの使用量よりも浴槽１からの供給量の方が多くなって貯水タンク２内が満水となると、オーバーフローパイプ２９により下水道９に排水される。逆に、トイレＤでの使用量が浴槽１からの供給量の方よりも多くなって、貯水タンク２内の水位が揚水ポンプ４の吸水パイプ６の先端レベルに近づくと、補充パイプ２８から水道水が補充されるように構成している。
また、浴槽１からの浴排水は温度が比較的高くて有機物が豊富に存在し、微生物等の繁殖に適した状態となっているので、排水管８の途中に滅菌槽２０を配置して、該滅菌槽２０で浴排水の塩素殺菌を行っている。
【００１２】
次に図２、図３において、浴槽１と貯水タンク２と揚水ポンプ４と洗浄タンク３・１３との作用について説明する。
浴槽１の底部には排水口１ａが設けられており、該排水口１ａは排水管８を介して滅菌槽２０から貯水タンク２に連通されている。そして、浴槽１の浴排水を貯水タンク２に貯水する場合には前記排水口１ａを開口するのである。
【００１３】
該排水口１ａから排水管８を通過して貯水タンク２に導水された浴排水の量が少なくなった場合には、ボールタップ１６がこの量の減少を検出して補充パイプ２８を開口して水道水を供給補充し、最低限吸水パイプ６の下端よりも上方に水面が位置するように洗浄水を補充している。
前記揚水ポンプ４により吸水パイプ６から貯水タンク２内の浴排水を吸引し、揚水パイプ７を経由して洗浄水タンク３・１３に供給された洗浄水は、洗浄水タンク３・１３内のボールタップ１７によって常時洗浄水タンク３・１３内に所定の量が貯留されるように構成されている。
【００１４】
そして、該洗浄水タンク３・１３から便器５・１５にそれぞれ洗浄水が流される。揚水ポンプ４により吸水パイプ６から吸引された浴排水は、屋外散水パイプ２７へ分岐して屋外の植え込み等への水やりに使用することもできる。また本システムにおける、貯水タンク２内の貯水を雨水や上水とすることも可能である。
【００１５】
また、揚水ポンプ４により吸引した浴排水を洗浄タンク３・１３へ案内する揚水パイプ７の途中部には図３に示すようにバイパス管３２を設けて、該バイパス管３２の途中部には電磁弁３１が配設されている。該電磁弁３１は揚水ポンプ４の運転動作と連動して開閉するよう構成しており、前記バイパス管３２の下端部には洗浄水を噴出するノズル３２ａが取付けられている。
【００１６】
洗浄水タンク３・１３内の洗浄水が減少し、ボールタップのバルブが開いて、洗浄水が該洗浄水タンク３・１３へ給水されると、揚水パイプ７内の圧力が低下してプレッシャースイッチ４ａがＯＮされ、揚水ポンプ４が運転を開始する。該揚水ポンプ４と電磁弁３１は連動しているので、揚水ポンプ４の運転開始と同時に電磁弁３１が開く。該電磁弁３１が開くと、揚水ポンプ４から吐出される洗浄水の一部がバイパス管３２を通じてノズル３２ａへと流れる。
ノズル３２ａからは貯水タンク２内の浴排水中に洗浄水が噴出して、該貯水タンク２内の浴排水を攪拌する。浴排水が攪拌されると、貯水タンク２内の底部に沈殿していた沈殿物が浴排水と混合され、また浴排水中を浮遊することとなり、浴排水と共にこの沈殿物が吸水パイプ６によって吸い上げられるのである。
【００１７】
また、この場合ノズル３２ａの先端は、沈殿物が浴排水と最もよく混合される角度及び方向に向けて取付けられている。そして洗浄水タンク３・１３への給水が終了すると、揚水パイプ７内の圧力が上昇してプレッシャースイッチ４ａがＯＦＦされ、揚水ポンプ４は停止して電磁弁３１も閉じるのである。
【００１８】
このような浴排水の攪拌は、洗浄水の洗浄水タンク３・１３への給水毎に繰返し行われるのであるが、この浴排水の攪拌機構によって貯水タンク２内の沈殿物の殆どが浴排水と共に吸水されて、該貯水タンク２内から排出することができるので、沈殿物が長期間にわたって貯水タンク２内に放置されることもなく、貯水タンク２内の清掃も行う必要がないのである。
【００１９】
また、前記給水パイプ６の途中部にはストレーナ２２を設けてあり、前記の沈殿物は通過させるが、例えば前記排水口１ａの目皿３５で取り除き損なった毛髪などの揚水ポンプ４が詰まる原因となる大きな異物を取り除くようにしている。このストレーナ２２は、地上の目に付き易い場所に設置してあり、点検や清掃、及びメンテナンスが容易に行えるよう構成してある。
【００２０】
このように、専用のポンプや攪拌機を設けることなく、現有の設備を利用して構成しながら、必要なときのみ貯水タンク２内を攪拌して、貯水タンク内の沈殿物を排出することができたので、安価な浴排水再利用システムとすることができた。
【００２１】
前記揚水ポンプ４は、家庭用の井戸ポンプと同じ形式の小型のものを使用することが可能であり、ポンプと圧力タンクとプレッシャースイッチ４ａなどとから構成されている。洗浄水が使用されると、圧力タンク内の圧力が低下し、プレッシャースイッチ４ａがこれを感知して、自動的に揚水ポンプ４が駆動して吸水補給が行われる。
【００２２】
図４においては、住宅Ａの敷地内における浴室ＣとトイレＤと貯水タンク２の配置を示している。一般的に浴室ＣやトイレＤは、住宅Ａ内の北の一隅に配置されているのが通常であり、本発明の浴排水再利用システムの貯水タンク２も、この住宅Ａの北側の隣接地との間に設けてある塀Ｂとの間に埋設してある。通常住宅関係の法規により、住宅Ａ北側の壁面と前記塀Ｂとの間の間隔Ｔは、約１メートルを維持することが義務付けられていることがあり、この空間を利用して貯水タンク２を埋設することにより、浴室ＣやトイレＤからの配管を短く構成することができるのである。
【００２３】
また、前記間隔Ｔにおいて、実際に貯水タンク２を埋設するのに使用可能な間隔は、図５における間隔Ｗの範囲である。即ち、建物の埋設基礎２６から隣地境界線３４までの寸法Ｌから、建物の埋設基礎２６の中心から該埋設基礎２６端までの寸法Ｌ１と、前記塀Ｂの埋設基礎３３の中心から該埋設基礎３３端までの寸法Ｌ２とを除いた間隔Ｗである。
【００２４】
図６、図７、図８より、貯水タンク２について説明する。
前述のように、貯水タンク２を埋設するのに必要なスペースである前記間隔Ｗは狭小な場合が多いのであるが、この狭小な間隔Ｗの間に貯水タンク２を埋設可能とするために、図８に示す該貯水タンク２の幅Ｗ１は、間隔Ｗと同じ若しくは間隔Ｗより小さく構成している。また該貯水タンク２の高さＨは、幅Ｗと同じ若しくは間隔Ｗより小さい寸法として、埋設深さを浅くして施工を容易にしている。
【００２５】
貯水タンク２は、正面視において底部に平坦面２ｂを有した略円筒形状に形成し、上部には平面視略円形状に形成した点検口２ａを設けている。該点検口２ａのより、貯水タンク２の内部の点検などを行うことが可能となっている。
このような形状に形成することで、地中に埋設する際に水平に設置することが容易となり、該貯水タンク２の周囲から受ける土圧に対しても強くなって変形や破損を防止することができる。また該貯水タンク２の内部には補強リブのような凹凸を形成していないので、沈殿物が流動しやすく攪拌も妨げられない。このように、貯水タンク２内に沈殿物が溜まりにくく、沈殿物を貯水タンク２外へ排出しやすい構造としている。
【００２６】
このように貯水タンク２を形成したので、埋設する敷地が、例えば建物外壁面と隣地境界との間が１ｍ程度であるような狭小なスペースであっても貯水タンク２の埋設が可能となり、埋設時には貯水タンク２を容易に水平に設置でき、施工も容易となった。また、貯水タンク２の土中での変形や破損を防止することができるようになった。さらに貯水タンク２内に沈殿物が溜まりにくく、沈殿物が貯水タンク２外へ排出されやすくなった。
【００２７】
【発明の効果】
本発明は以上の如く構成したので、次のような効果を奏するのである。
本発明の如く構成したので、専用のポンプや攪拌機を設けることなく、現有の設備を利用して構成しながら、必要なときのみ貯水タンク２内を攪拌して、貯水タンク内の沈殿物を排出することができ、安価な浴排水再利用システムとすることができた。そのうえ、給水パイプの吸い込み口から遠くの沈殿物も排出することができ、定期清掃を不用とすることができるのである。
【００２８】
また、専用のポンプや攪拌機を設けることなく、現有の設備を利用して構成しながら、貯水タンク内の沈殿物を排出することができたので、安価な浴排水再利用システムとすることができた。また、電磁弁を給水ポンプのモータと電気的並列に接続したので、揚水ポンプ４が駆動される場合の、必要なときのみ貯水タンク２内を攪拌することができることとなったのである。
【図面の簡単な説明】
【図１】１階のみに浴室が１階と２階とにトイレが配置された住宅における浴排水再利用システムの実施例を示す図である。
【図２】浴槽内部の浴槽水を貯水タンクに導水する機構を示す図である。
【図３】貯水タンクの浴排水を攪拌する機構を示す図である。
【図４】住宅の敷地において建物と北側の隣接地との空間に貯水タンクを埋設した状態の平面図である。
【図５】建物と敷地の隣接地との空間に貯水タンクを埋設する場合における貯水タンクの埋設スペースを示す断面図である。
【図６】貯水タンクの平面図である。
【図７】貯水タンクの側面図である。
【図８】貯水タンクの正面図である。
【符号の説明】
Ａ  住宅
Ｂ  隣接地との間の塀
Ｃ  浴室
Ｄ  トイレ
１  浴槽
２  貯水タンク
３・１３  洗浄水タンク
４  揚水ポンプ
５・１５  便器
６  吸水パイプ
７  揚水パイプ
３１  電磁弁
３２  バイパス管
３２ａ  ノズル
【図１】
0003625117.tif 000002
【図２】
0003625117.tif 000003
【図３】
0003625117.tif 000004
【図４】
0003625117.tif 000005
【図５】
0003625117.tif 000006
【図６】
0003625117.tif 000007
【図７】
0003625117.tif 000008
【図８】
0003625117.tif 000009